(57)【要約】  本開示の位相変調データ生成装置は、所望の輝度分布を持つ目的照明像パターンを生成することが可能な部分照明像パターンに基づいて、光位相変調素子によって部分照明像パターンを再生可能な基本位相変調パターンデータを計算する第１の演算部と、第１の演算部によって計算された基本位相変調パターンデータを記憶する記憶部とを備える。
2018211878.tif 000002
【特許請求の範囲】
【請求項１】
所望の輝度分布を持つ目的照明像パターンを生成することが可能な部分照明像パターンに基づいて、光位相変調素子によって前記部分照明像パターンを再生可能な基本位相変調パターンデータを計算する第１の演算部と、
前記第１の演算部によって計算された前記基本位相変調パターンデータを記憶する記憶部と
を備える
位相変調データ生成装置。
【請求項２】
前記記憶部に記憶された前記基本位相変調パターンデータに基づいて、前記目的照明像パターンを前記光位相変調素子によって再生可能な目的位相変調パターンデータを計算する第２の演算部、
をさらに備える
請求項１に記載の位相変調データ生成装置。
【請求項３】
前記第２の演算部は、前記記憶部に記憶された前記基本位相変調パターンデータに対して、並進処理、重み付け重畳処理、回転処理、反転処理、および拡大縮小処理のうち少なくとも１つの処理を行うことで、前記目的位相変調パターンデータを計算する
請求項２に記載の位相変調データ生成装置。
【請求項４】
前記基本位相変調パターンデータは、計算機合成ホログラムである
請求項１に記載の位相変調データ生成装置。
【請求項５】
光源と、
前記光源からの光の位相を変調する光位相変調素子と、
所望の輝度分布を持つ目的照明像パターンを生成することが可能な部分照明像パターンに基づいて、前記光位相変調素子によって前記部分照明像パターンを再生可能な基本位相変調パターンデータを計算する第１の演算部と、
前記第１の演算部によって計算された前記基本位相変調パターンデータを記憶する記憶部と
を備える
照明装置。
【請求項６】
前記記憶部に記憶された前記基本位相変調パターンデータに基づいて、前記目的照明像パターンを前記光位相変調素子によって再生可能な目的位相変調パターンデータを計算する第２の演算部、
をさらに備える
請求項５に記載の照明装置。
【請求項７】
前記演算部は、前記記憶部に記憶された前記基本位相変調パターンデータに対して、並進処理、重み付け重畳処理、回転処理、反転処理、および拡大縮小処理のうち少なくとも１つの処理を行うことで、前記目的位相変調パターンデータを計算する
請求項６に記載の照明装置。
【請求項８】
前記基本位相変調パターンデータは、計算機合成ホログラムである
請求項５に記載の照明装置。
【請求項９】
照明装置と、
前記照明装置からの照明光を強度変調して投影画像を生成する光強度変調素子と
を含み、
前記照明装置は、
光源と、
前記光源からの光の位相を変調する光位相変調素子と、
所望の輝度分布を持つ目的照明像パターンを生成することが可能な部分照明像パターンに基づいて、前記光位相変調素子によって前記部分照明像パターンを再生可能な基本位相変調パターンデータを計算する第１の演算部と、
前記第１の演算部によって計算された前記基本位相変調パターンデータを記憶する記憶部と
を備える
プロジェクタ。
【発明の詳細な説明】
【技術分野】
【０００１】
本開示は、光の位相を変調する位相変調パターンデータを生成する位相変調データ生成装置、位相変調パターンデータに基づいて光の位相を変調する照明装置、および照明装置からの照明光に基づいて映像を投影するプロジェクタに関する。
【背景技術】
【０００２】
照明装置からの照明光を光強度変調素子によって強度変調して投影画像を生成するプロジェクタが知られている。また、プロジェクタにおいて、照明装置に光位相変調素子を用いることで画像に応じて変調された照明像パターンを生成し、その照明像パターンを光強度変調素子への照明光として利用する技術がある。光位相変調素子は、所望の照明像パターンを再生可能な位相変調パターンデータに基づいて駆動される。
【先行技術文献】
【特許文献】
【０００３】
【特許文献１】特開２０１６−２２４４５１号公報
【発明の概要】
【０００４】
上記位相変調パターンデータを生成するための計算コストは低いことが望ましい。
【０００５】
光位相変調素子によって所望の輝度分布を持つ照明像を生成するための位相変調データを低い計算コストで計算することを可能にする位相変調データ生成装置、照明装置、およびプロジェクタを提供することが望ましい。
【０００６】
本開示の一実施の形態に係る位相変調データ生成装置は、所望の輝度分布を持つ目的照明像パターンを生成することが可能な部分照明像パターンに基づいて、光位相変調素子によって部分照明像パターンを再生可能な基本位相変調パターンデータを計算する第１の演算部と、第１の演算部によって計算された基本位相変調パターンデータを記憶する記憶部とを備えるものである。
【０００７】
本開示の一実施の形態に係る照明装置は、光源と、光源からの光の位相を変調する光位相変調素子と、所望の輝度分布を持つ目的照明像パターンを生成することが可能な部分照明像パターンに基づいて、光位相変調素子によって部分照明像パターンを再生可能な基本位相変調パターンデータを計算する第１の演算部と、第１の演算部によって計算された基本位相変調パターンデータを記憶する記憶部とを備えるものである。
【０００８】
本開示の一実施の形態に係るプロジェクタは、照明装置と、照明装置からの照明光を強度変調して投影画像を生成する光強度変調素子とを含み、照明装置は、光源と、光源からの光の位相を変調する光位相変調素子と、所望の輝度分布を持つ目的照明像パターンを生成することが可能な部分照明像パターンに基づいて、光位相変調素子によって部分照明像パターンを再生可能な基本位相変調パターンデータを計算する第１の演算部と、第１の演算部によって計算された基本位相変調パターンデータを記憶する記憶部とを備えるものである。
【０００９】
本開示の一実施の形態に係る位相変調データ生成装置、照明装置またはプロジェクタでは、所望の輝度分布を持つ目的照明像パターンを生成することが可能な部分照明像パターンに基づいて、光位相変調素子によって部分照明像パターンを再生可能な基本位相変調パターンデータを計算し、計算された基本位相変調パターンデータを記憶部に記憶する。
【００１０】
本開示の一実施の形態に係る位相変調データ生成装置、照明装置またはプロジェクタによれば、目的照明像パターンを生成することが可能な部分照明像パターンに基づいて、部分照明像パターンを再生可能な基本位相変調パターンデータを計算し、計算された基本位相変調パターンデータを記憶部に記憶するようにしたので、光位相変調素子によって所望の輝度分布を持つ照明像を生成するための位相変調データを低い計算コストで計算することが可能となる。
なお、ここに記載された効果は必ずしも限定されるものではなく、本開示中に記載されたいずれかの効果であってもよい。
【図面の簡単な説明】
【００１１】
【図１】第１の実施の形態に係る位相変調データ生成装置の基本構成例を示すブロック図である。
【図２】第１の実施の形態に係る照明装置およびプロジェクタの基本構成例を示すブロック図である。
【図３】ＣＧＨの並進処理の一例を示す説明図である。
【図４】ＣＧＨに一様な輝度の重み付けを行う場合の重み付け重畳処理の一例を示す説明図である。
【図５】ＣＧＨに任意輝度の重み付けを行う場合の重み付け重畳処理の一例を示す説明図である。
【図６】位相変調データ生成装置による事前処理の一例を示す流れ図である。
【図７】位相変調データ生成装置による利用中処理の一例を示す流れ図である。
【図８】部分照明像パターンの第１の変形例を示す説明図である。
【図９】部分照明像パターンの第２の変形例を示す説明図である。
【発明を実施するための形態】
【００１２】
以下、本開示の実施の形態について図面を参照して詳細に説明する。なお、説明は以下の順序で行う。
０．比較例
１．第１の実施の形態
１．１  概要
１．２  位相変調データ生成の具体例
１．３  効果
２．その他の実施の形態
【００１３】
＜０．比較例＞
一般的なプロジェクタでは、均一な光密度の照明光を、液晶パネルやＤＭＤ（デジタルミラーデバイス）といった空間光強度変調素子（空間光強度変調パネル）に照射し、所望の光密度の画像を投影する。空間光強度変調素子には２次元的に複数の変調素子が配置される。各変調素子では、書き込まれた信号に応じて光の反射もしくは透過率を制御する。各変調素子に書き込む強度変調信号は、投影する画像から計算する。一般的なプロジェクタでは、空間光強度変調素子にて均一な照明光が強度変調され、投射用の光学系を通じて、所望の画像が投影される。
【００１４】
しかし、このような一般的なプロジェクタでは、映像の暗い領域において、空間光強度変調素子が光を完全に遮断できない分、黒浮きと呼ばれる光漏れを起こし、コントラストの低下を招く。また、映像の暗い領域でも、照明光を照らすため、投影の際に利用されない無駄な電力を消費していた。
【００１５】
特許文献１（特開２０１６−２２４４５１号公報）には、２つの空間光変調素子を用いるプロジェクタに関する技術が開示されている。この技術では、２つの空間光変調素子のうち、前段の空間光変調素子で、投影する画像に応じて動的に輝度分布が異なる照明像を再生し、後段の空間光変調素子に照射する。これによって、後段の空間光変調素子で利用されない光を低減し、無駄な電力を削減する。黒浮きの低減やピーク輝度も高められ、結果として、投影像の輝度のダイナミックレンジが拡大し、画質が向上する。
【００１６】
一方で、前段の空間光変調素子で、動的に空間的な光密度が異なる照明像パターンを生成するためには、そのための変調パターンデータが必要である。例えば、空間光位相変調素子を利用する場合、データは位相変調量を２次元的に格納した位相変調パターンデータとなる。この位相変調パターンデータは、一般に計算機合成ホログラム（Computer Generated Hologram：ＣＧＨ）と呼ばれる。ＣＧＨの計算は計算コストが高い処理であるが、近年のＣＰＵ（Central Processing Unit）やＧＰＵ（Graphics Processing Unit）等の性能向上に伴い計算が可能となってきた。しかし、プロジェクタ製品に高度な演算を行う演算装置を搭載することは、製造コストの増大を招くため、計算コストの削減が求められる。
【００１７】
＜１．第１の実施の形態＞
［１．１  概要］
（位相変調データ生成装置の概要）
図１は、本開示の第１の実施の形態に係る位相変調データ生成装置１の基本構成例を示している。
【００１８】
位相変調データ生成装置１は、位相変調データ生成のための事前処理を行うための構成として、部分照明像パターンデータ供給部１０と、位相分布演算部１１と、ＣＧＨテーブル記憶部１２とを備えている。また、位相変調データ生成装置１は、事前処理で生成された位相変調データを利用する利用中処理を行うための構成として、画像データ供給部２０と、目的照明像演算部２１と、位相分布演算部２２と、ＣＧＨデータ供給部２３とを備えている。
【００１９】
位相分布演算部１１は、所望の輝度分布を持つ目的照明像パターン１１２を生成することが可能な部分照明像パターン１０１に基づいて、空間光位相変調素子２によって部分照明像パターン１０１を再生可能な基本位相変調パターン１０２のデータを計算する第１の演算部となっている。基本位相変調パターン１０２は、ＣＧＨである。
【００２０】
ＣＧＨテーブル記憶部１２は、位相分布演算部１１によって計算された基本位相変調パターン１０２のデータを記憶する記憶部となっている。
【００２１】
位相分布演算部２２は、ＣＧＨテーブル記憶部１２に記憶された基本位相変調パターン１０２のデータに基づいて、目的照明像パターン１１２を空間光位相変調素子２によって再生可能な目的位相変調パターン１１３のデータを計算する第２の演算部となっている。
【００２２】
位相分布演算部２２は、ＣＧＨテーブル記憶部１２に記憶された基本位相変調パターン１０２のデータに対して、後述する並進処理、重み付け重畳処理、回転処理、反転処理、および拡大縮小処理のうち少なくとも１つの処理を行うことで、目的位相変調パターン１１３のデータを計算する。
【００２３】
空間光位相変調素子２は、光の回折状態を動的に制御可能な回折素子である。空間光位相変調素子２としては、液晶分子を用いたＬＣＯＳ（Liquid Crystal On Silicon）−ＳＬＭ（Spatial Light Modulator）や、ＤＭＤのように微小鏡面を機械的に動かし、光路長を制御するデバイス等が利用できる。
【００２４】
図６は、位相変調データ生成装置１による事前処理の一例を示している。
位相変調データ生成装置１では、まず、事前処理として、部分照明像パターンデータ供給部１０おいて、空間光位相変調素子２に対する照明像の全域を任意形状で複数に分割した部分照明像パターン１０１を決定（ステップＳ２０１）し、供給する。部分照明像パターン１０１を再生するための基本位相変調パターン１０２のＣＧＨを位相分布演算部１１において予め計算する。この際に、ＣＧＨの生成にはＧｅｒｃｈｂｅｒｇ−Ｓａｘｔｏｎ法（ＧＳ法）等の従来の任意の位相回復アルゴリズムを利用する。ここで計算したＣＧＨのデータをテーブル（ＣＧＨテーブルと呼称）として、ＣＧＨテーブル記憶部１２に保持しておく（ステップＳ２０２）。ＣＧＨテーブルのデータ形式は、２次元の画像データや数値勾配のベクトル形式、極座標表現、および圧縮形式など任意である。ＣＧＨテーブル記憶部１２に保持するＣＧＨテーブルが再生する部分照明像パターン１０１の形状や、保持するＣＧＨテーブルの数量は任意である。
【００２５】
図７は、位相変調データ生成装置１による利用中処理の一例を示している。
プロジェクタでの実際の利用時（利用中処理）においては、画像データ供給部２０から、入力画像１１１のデータとして、プロジェクタで投影する投影画像のデータを供給する（ステップＳ２０１）。入力画像１１１は例えば動画像の各フレームの画像データである。
【００２６】
目的照明像演算部２１では、入力画像１１１のデータから、目的照明像パターン１１２を計算する（ステップＳ２０２）。目的照明像演算部２１では、複数の部分照明像パターン１０１に対して並進処理、重み付け重畳処理、回転処理、反転処理、および拡大縮小処理のうち少なくとも１つの処理を行うことで表現可能な、目的照明像パターン１１２を計算する。位相分布演算部２２では、ＣＧＨテーブル記憶部１２からＣＧＨテーブルを呼び出し、部分照明像パターン１０１を再生可能な基本位相変調パターン１０２のデータに対して、後述する並進処理、重み付け重畳処理、回転処理、反転処理、および拡大縮小処理のうち少なくとも１つの処理を行うことで、目的照明像パターン１１２を再生可能な目的位相変調パターン１１３のＣＧＨデータを計算する。図７では、並進処理を行った（ステップＳ２０２）後、重み付け重畳処理を行った場合（ステップＳ２０３）を例を示している。目的照明像演算部２１では、全ての部分照明像パターン１０１に対する処理が終了したか否かを判断する（ステップＳ２０５）。全ての部分照明像パターン１０１に対する処理が終了していないと判断した場合（ステップＳ２０５；Ｎ）には、ステップＳ１０３の処理に戻る。全ての部分照明像パターン１０１に対する処理が終了したと判断した場合（ステップＳ２０５；Ｙ）には、処理を終了する（ステップＳ２０６）。ここでの位相分布演算部２２による計算は、計算コストが大きい位相回復アルゴリズムを使用すること無く、計算する。その後、目的位相変調パターン１１３のＣＧＨデータに基づいて空間光位相変調素子２を駆動することで、目的照明像パターン１１２が再生される。
【００２７】
（照明装置、およびプロジェクタの概要）
図２は、第１の実施の形態に係る照明装置およびプロジェクタ３０の基本構成例を示している。
【００２８】
プロジェクタ３０は、空間光位相変調素子２と、空間光強度変調素子３と、光源３１と、デコーダ３２と、記憶装置３３と、演算装置３４と、光位相変調素子駆動回路３５と、光強度変調素子駆動回路３６とを備えている。
【００２９】
プロジェクタ３０における照明装置は、少なくとも、光源３１と、空間光位相変調素子２と、記憶装置３３と、演算装置３４と、光位相変調素子駆動回路３５とを含んでいる。
【００３０】
空間光位相変調素子２は、光源３１からの光の位相を変調する。光源３１は、例えばレーザ光源である。
【００３１】
プロジェクタ３０は、位相変調データ生成装置１を含んでいてもよい。
【００３２】
記憶装置３３は、少なくとも位相変調データ生成装置１におけるＣＧＨテーブル記憶部１２に記憶されたＣＧＨテーブルを記憶している。記憶装置３３は、不揮発記憶装置もしくは揮発性記憶装置、それらを組み合わせたものでもよい。
【００３３】
演算装置３４は、位相変調データ生成装置１における位相分布演算部１１と、目的照明像演算部２１と、位相分布演算部２２と、ＣＧＨデータ供給部２３とを含んでいてもよい。演算装置３４は、例えば、ＣＰＵ、ＧＰＵ、ＦＰＧＡ（Field-Programmable Gate Array）、およびＡＳＩＣ（Application Specific Integrated Circuit）のうち少なくとも１つを含んでいる。
【００３４】
ＣＧＨテーブルは予め記憶装置３３に格納されているものとする。プロジェクタ３０では、入力された映像信号に対してデコーダ３２によって復号や伸張を行い、例えば動画像の各フレームの画像データを取得する。空間光強度変調素子３は、光強度変調素子駆動回路３６によって画像データに基づいて駆動される。
【００３５】
また、画像データは、演算装置３４に入力される。演算装置３４では、画像データとＣＧＨテーブルとに基づいて、目的照明像パターン１１２を再生可能な最終的なＣＧＨデータである目的位相変調パターン１１３のデータを計算する。空間光位相変調素子２は、光位相変調素子駆動回路３５によって演算装置３４で生成されたＣＧＨデータに基づいて駆動される。これにより、空間光位相変調素子２によって、所望の輝度分布を持つ目的照明像パターン１１２が再生される。
【００３６】
もし、空間光位相変調素子２による照明像だけで、実使用上、必要な画質が得られるのであれば、後段の空間光強度変調素子３は無くてもよい。空間光強度変調素子３を利用することで、少なくとも１つの部分照明像パターン１０１で構成された目的照明像パターン１１２を、高解像度に強度変調し、投影画像の解像度を向上させることができる。空間光位相変調素子２には、従来のプロジェクタにおいて利用していた均一輝度照明光等、一定の輝度分布を持つ均一照明パターン１２１の照明光を照射する。そして、空間光位相変調素子２による位相変調および回折によって生成された照明像を照明光として空間光強度変調素子３へ照射する。空間光強度変調素子３は、照明光を強度変調して投影画像を生成する。空間光強度変調素子３によって生成された投影画像は、図示しない投影光学系によってスクリーン等の投影面に投影される。
【００３７】
［１．２  位相変調データ生成の具体例］
位相分布演算部２２は、ＣＧＨテーブル記憶部１２に記憶された基本位相変調パターン１０２のデータ（ＣＧＨ）に対して、以下で説明する並進処理、重み付け重畳処理、回転処理、反転処理、および拡大縮小処理のうち少なくとも１つの処理を行うことで、目的位相変調パターン１１３のデータを計算する。
【００３８】
（並進処理）
ＣＧＨの並進（シフト）処理例について述べる。空間光位相変調素子２上の２次元座標を（ｘ，ｙ）とし、空間光位相変調素子２上に位相分布θ（ｘ，ｙ）のＣＧＨを書き込んだ状態を想定する。ここにレーザ光等の振幅がＡ（ｘ，ｙ）の平面波を入射した場合、空間光位相変調素子２の直後の電場分布ｆ（ｘ，ｙ）は、以下の式（１）で表される。
【００３９】
【数１】
2018211878.tif 000003
【００４０】
式（１）では、入射光の持つ時間や位置による位相項は無視している。照明像上の２次元座標と電場分布を、それぞれ（ξ，η）およびＦ（ξ，η）とし、回折がフラウンホーファー回折に倣うとすると、以下の式（２）が成り立つ。
【００４１】
【数２】
2018211878.tif 000004
【００４２】
Ｆ（ξ，η）は、ｆ（ｘ，ｙ）を２次元フーリエ変換した形となる。ＦＴ［］をフーリエ変換の演算子とする。ここから、（ξ，η）面上にて照明像を（ｎ，ｍ）並進させるためには、離散フーリエ変換の公式から、以下の式（３）となる。
【００４３】
【数３】
2018211878.tif 000005
【００４４】
Ｎ，Ｍは標本数である。ｆ（ｘ，ｙ）の標本数は空間光位相変調素子２の解像度であるため、それぞれをＷＩＤＴＨ，ＨＥＩＧＨＴとすると、以下の式（４）となる。
【００４５】
【数４】
2018211878.tif 000006
【００４６】
つまり、ＣＧＨ上の座標（ｘ，ｙ）と並進量（ｎ，ｍ）から求めた位相を加算することにより、ＣＧＨの並進処理を行うことができる。
【００４７】
図３に、ＣＧＨの並進処理の一例を示す。
図３の左側には、ＧＳ法によって生成された基本位相変調パターン１３０（ＣＧＨ）と、その基本位相変調パターン１３０による回折像１３１（２次元フーリエ変換後の強度）とを示す。回折像１３１は、中央に矩形状の輝度の高い領域がある照明像となっている。図３の右側には、並進処理後の位相変調パターン１４０（ＣＧＨ）と、その並進処理後の位相変調パターン１４０による回折像１４１（２次元フーリエ変換後の強度）とを示す。
【００４８】
（重み付け重畳処理）
続いて、ＣＧＨの重み付け重畳処理について述べる。目的の輝度分布に応じた照明像を再生すべく、ＣＧＨテーブルに並進処理を施した、個々のＣＧＨを重畳する。重畳処理では、以下の式（５）のようにフーリエ変換の線形性を用いる。
【００４９】
【数５】
2018211878.tif 000007
【００５０】
ここで、ｆ（ｘ，ｙ）およびｇ（ｘ，ｙ）は、各々異なるＣＧＨであるθ（ｘ，ｙ）およびφ（ｘ，ｙ）を書き込んだＳＬＭ等の空間光位相変調素子２による位相変調直後の電場分布である。入射レーザ光の強度分布を一様に１とすると、式（１）より、ｆ（ｘ，ｙ）およびｇ（ｘ，ｙ）は、以下の式（６）で表される。
【００５１】
【数６】
2018211878.tif 000008
【００５２】
さらに重み付けを一様としてａ＝ｂ＝１とすると、再生像ＦＴ［ｆ（ｘ，ｙ）］およびＦＴ［ｇ（ｘ，ｙ）］を重畳させるためのＣＧＨは、以下の式（７）で表される。
【００５３】
【数７】
2018211878.tif 000009
【００５４】
Ｃ（ｘ，ｙ）は、画素毎に異なる実数のスケール因子である。ここから、重畳後のＣＧＨをψ（ｘ，ｙ）として、以下の式（８）を求めることができる。
【００５５】
【数８】
2018211878.tif 000010
【００５６】
θ（ｘ，ｙ）およびφ（ｘ，ｙ）を再生像面上にてα：βの強度比で重畳する場合、電場の振幅比は√α：√βとなる。従って式（５）におけるａおよびｂは、以下の式（９）で表される。
【００５７】
【数９】
2018211878.tif 000011
【００５８】
重畳後のＣＧＨをψ’（ｘ，ｙ）とすると、以下の式（１０）となる。
【００５９】
【数１０】
2018211878.tif 000012
【００６０】
図４は、ＣＧＨに一様な輝度の重み付けを行う場合の重み付け重畳処理の一例を示している。図４では、ψ（ｘ，ｙ）の計算を複素平面上にて図示している。図５は、ＣＧＨに任意輝度の重み付けを行う場合の重み付け重畳処理の一例を示している。図５では、ψ’（ｘ，ｙ）の計算を複素平面上にて図示している。
【００６１】
座標（ｘ，ｙ）における重畳後のＣＧＨの位相は、一様な重み付け、つまり部分照明像パターン１０１の一様輝度での重畳の際は、図４に示したように、単位円上の各々の点を足し合わせた後の偏角が、ψ（ｘ，ｙ）となる。一方で、任意輝度の重み付けの際は、図５に示したように、各々の原点からの距離をスケールさせた後に足し合わせ、偏角を取ったものがψ’（ｘ，ｙ）となる。空間光位相変調素子２へ書き込む際には、例えば空間光位相変調素子２が８ｂｉｔ表示デバイスの場合は０〜２πの位相を、０〜２５５の整数に正規化および量子化する。
【００６２】
（その他の計算）
部分照明像パターン１０１の反転処理および回転処理は、ＣＧＨテーブルの反転処理および回転処理が利用可能である。反転処理として、左右反転処理、上下反転処理および左右上下反転処理が可能である。部分照明像パターン１０１の拡大縮小は、フーリエ変換の相似性より、ＣＧＨテーブルの拡大縮小処理によって実現可能である。
【００６３】
（部分照明の形状の他の例）
図８は、部分照明像パターン１０１の第１の変形例を示している。
図８の左側には、第１の変形例に係る部分照明像パターン１５１を示す。図８の右側には、部分照明像パターン１５１によって目的照明像パターンを生成する場合の照明像分割パターン１５２を示す。例えば図８の左側に示したような二等辺直角三角形状の部分照明像パターン１５１を再生する基本位相変調パターンデータに対して左右上下反転処理を行うことで、図８の右側に示した照明像分割パターン１５２の１または複数の任意の分割領域を再生できる。
【００６４】
図９は、部分照明像パターン１０１の第２の変形例を示している。
部分照明像パターン１０１には輝度の勾配があっても良い。図９の上側には、第２の変形例に係る部分照明像パターン１６１を示す。部分照明像パターン１６１は、基本形状を正方形とし、その正方形の輪郭をシグモイド関数で輝度勾配を付け、ぼかした例を示している。また、図９には、１つの部分照明像パターン１６１による輝度分布１６２と、部分照明像パターン１６１を２つ連結した場合の輝度分布１６３とを示す。２つ連結した場合の輝度分布１６３では、連結した部分の境界における輝度は略一定となる。
【００６５】
［１．３  効果］
以上のように、本実施の形態によれば、目的照明像パターン１１２を生成することが可能な部分照明像パターン１０１に基づいて、部分照明像パターン１０１を再生可能な基本位相変調パターン１０２のデータを計算し、計算された基本位相変調パターン１０２のデータをＣＧＨテーブル記憶部１２に記憶するようにしたので、所望の輝度分布を持つ照明像を生成するための目的位相変調パターン１１３のデータを低い計算コストで計算することが可能となる。これにより、プロジェクタ３０の演算装置３４に関わる製造コストを低減させることができる。プロジェクタ３０における動画像の再生フレームレートの向上にも寄与する。
【００６６】
なお、本明細書に記載された効果はあくまでも例示であって限定されるものではなく、また他の効果があってもよい。
【００６７】
＜２．その他の実施の形態＞
本開示による技術は、上記実施の形態の説明に限定されず種々の変形実施が可能である。
【００６８】
例えば、本技術は以下のような構成を取ることもできる。
（１）
所望の輝度分布を持つ目的照明像パターンを生成することが可能な部分照明像パターンに基づいて、光位相変調素子によって前記部分照明像パターンを再生可能な基本位相変調パターンデータを計算する第１の演算部と、
前記第１の演算部によって計算された前記基本位相変調パターンデータを記憶する記憶部と
を備える
位相変調データ生成装置。
（２）
前記記憶部に記憶された前記基本位相変調パターンデータに基づいて、前記目的照明像パターンを前記光位相変調素子によって再生可能な目的位相変調パターンデータを計算する第２の演算部、
をさらに備える
上記（１）に記載の位相変調データ生成装置。
（３）
前記第２の演算部は、前記記憶部に記憶された前記基本位相変調パターンデータに対して、並進処理、重み付け重畳処理、回転処理、反転処理、および拡大縮小処理のうち少なくとも１つの処理を行うことで、前記目的位相変調パターンデータを計算する
上記（２）に記載の位相変調データ生成装置。
（４）
前記基本位相変調パターンデータは、計算機合成ホログラムである
上記（１）ないし（３）のいずれか１つに記載の位相変調データ生成装置。
（５）
光源と、
前記光源からの光の位相を変調する光位相変調素子と、
所望の輝度分布を持つ目的照明像パターンを生成することが可能な部分照明像パターンに基づいて、前記光位相変調素子によって前記部分照明像パターンを再生可能な基本位相変調パターンデータを計算する第１の演算部と、
前記第１の演算部によって計算された前記基本位相変調パターンデータを記憶する記憶部と
を備える
照明装置。
（６）
前記記憶部に記憶された前記基本位相変調パターンデータに基づいて、前記目的照明像パターンを前記光位相変調素子によって再生可能な目的位相変調パターンデータを計算する第２の演算部、
をさらに備える
上記（５）に記載の照明装置。
（７）
前記演算部は、前記記憶部に記憶された前記基本位相変調パターンデータに対して、並進処理、重み付け重畳処理、回転処理、反転処理、および拡大縮小処理のうち少なくとも１つの処理を行うことで、前記目的位相変調パターンデータを計算する
上記（６）に記載の照明装置。
（８）
前記基本位相変調パターンデータは、計算機合成ホログラムである
上記（５）ないし（７）のいずれか１つに記載の照明装置。
（９）
照明装置と、
前記照明装置からの照明光を強度変調して投影画像を生成する光強度変調素子と
を含み、
前記照明装置は、
光源と、
前記光源からの光の位相を変調する光位相変調素子と、
所望の輝度分布を持つ目的照明像パターンを生成することが可能な部分照明像パターンに基づいて、前記光位相変調素子によって前記部分照明像パターンを再生可能な基本位相変調パターンデータを計算する第１の演算部と、
前記第１の演算部によって計算された前記基本位相変調パターンデータを記憶する記憶部と
を備える
プロジェクタ。
【００６９】
本出願は、日本国特許庁において２０１７年５月１９日に出願された日本特許出願番号第２０１７−０９９８５１号を基礎として優先権を主張するものであり、この出願のすべての内容を参照によって本出願に援用する。
【００７０】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018211878.tif 000013
【図２】
2018211878.tif 000014
【図３】
2018211878.tif 000015
【図４】
2018211878.tif 000016
【図５】
2018211878.tif 000017
【図６】
2018211878.tif 000018
【図７】
2018211878.tif 000019
【図８】
2018211878.tif 000020
【図９】
2018211878.tif 000021
【国際調査報告】
2018211878.tif 000022
2018211878.tif 000023